(57)【要約】  スプレーガン収容容器コネクタシステム。このシステムは、収容容器の蓋と、スプレーガン入口と、相補的な第１及び第２の接続形体とを含む。第１及び第２の接続形体は、蓋又はスプレーガン入口のいずれか一方が設けられる。第１の形体は、捕捉領域を各々が画定する複数の保持構造体を含む。保持構造体は、円形パターンにひとまとめに配置される。第２の形体は、捕捉領域と選択的に接合するように構成されたシム体を各々が含む複数の係止構造体を含む。接続形体は、スプレーガン入口を蓋に対して回すときに、係止構造体と保持構造体のうちの対応する保持構造体との間にくさび留め係合を設けるように構成される。蓋は、注ぎ口を含み得る。保持構造体及び係止構造体は、注ぎ口の外側に半径方向に間隔を空けられ、注ぎ口は２２ｍｍ以上の内径を有し得る。
2019504754.tif 000002
【特許請求の範囲】
【請求項１】
蓋を含む収容容器と、
スプレーガン入口と、
前記蓋及び前記スプレーガン入口のうちの一方が設けられた第１の接続形体であって、捕捉領域を各々が画定する複数の保持構造体を含み、前記保持構造体が円形パターンにひとまとめに配置されて互いに円周方向に間隔を空けられる、第１の接続形体と、
前記蓋及び前記スプレーガン入口のうちの他方が設けられた第２の接続形体であって、前記保持構造体のうちのそれぞれの保持構造体の前記捕捉領域と選択的に接合するように構成されたシム体を各々が含む複数の係止構造体を含み、前記係止構造体が円形パターンにひとまとめに配置されて互いに円周方向に間隔を空けられる、第２の接続形体とを含み、
前記接続形体が、前記スプレーガン入口を前記蓋に対して回すときに、前記係止構造体と前記保持構造体のうちの対応する保持構造体との間にくさび留め係合を設けるように構成される、スプレーガン収容容器コネクタシステム。
【請求項２】
前記蓋が注ぎ口を有する液体出口を更に含み、更に、前記蓋に関連する前記接続形体が前記注ぎ口の外側に半径方向に間隔を空けられる、請求項１に記載のコネクタシステム。
【請求項３】
前記注ぎ口が２２ｍｍ以上の内径を有する、請求項２に記載のコネクタシステム。
【請求項４】
前記第１の接続形体に前記蓋が設けられ、前記第２の接続形体に前記スプレーガン入口が設けられる、請求項１〜３のいずれか一項に記載のコネクタシステム。
【請求項５】
前記蓋が液体出口を更に含み、更に、前記保持構造体が前記液体出口周りに配置され、前記液体出口から半径方向に間隔を空けられる、請求項４に記載のコネクタシステム。
【請求項６】
前記第２の接続形体に前記蓋が設けられ、前記第１の接続形体に前記スプレーガン入口が設けられる、請求項１〜３のいずれか一項に記載のコネクタシステム。
【請求項７】
前記蓋が液体出口を更に含み、更に、前記係止構造体が前記液体出口周りに配置され、前記液体出口から半径方向に間隔を空けられる、請求項６に記載のコネクタシステム。
【請求項８】
前記スプレーガン入口が、スプレーガンに接続するように適応されたアダプタ上にある、請求項１〜７のいずれか一項に記載のコネクタシステム。
【請求項９】
前記アダプタが、管状部材と、スプレーガン入口ポートに接続するように構成されたコネクタ機構とを更に含む、請求項８に記載のコネクタシステム。
【請求項１０】
前記スプレーガン入口がスプレーガンと一体である、請求項１〜７のいずれか一項に記載のコネクタシステム。
【請求項１１】
前記保持構造体がそれぞれ、接触表面と、係合表面を画定するくさび体とを含み、更に、前記係合表面が前記接触表面から長手方向に間隔を空けられ、更に、前記接触表面及び前記係合表面が結合して、対応する捕捉領域の少なくとも一部を画定する、請求項１〜１０のいずれか一項に記載のコネクタシステム。
【請求項１２】
前記接触表面及び前記係合表面のうちの少なくとも１つが、前記システムの回転軸に垂直な平面に対してある角度をなして配置された平面を画定する、請求項１１に記載のコネクタシステム。
【請求項１３】
前記第１の接続形体が接触表面を画定するプラットフォームを更に含み、更に、前記保持構造体が前記接触表面から長手方向に離れて突出する、請求項１〜１２のいずれか一項に記載のコネクタシステム。
【請求項１４】
前記接触表面が円を画定する、請求項１３に記載のコネクタシステム。
【請求項１５】
前記接触表面の少なくとも一部が実質的に平坦である、請求項１３又は１４に記載のコネクタシステム。
【請求項１６】
プラットフォームが前記接触表面内の複数のアンダーカット部を画定する、請求項１３〜１５のいずれか一項に記載のコネクタシステム。
【請求項１７】
前記係止構造体の各々が、対応するシム体から延びる停止体を更に含む、請求項１〜１６のいずれか一項に記載のコネクタシステム。
【請求項１８】
前記係止構造体の各々の前記シム体が、係止面の反対側に当接面を画定し、更に、前記当接面及び前記係止面のうちの少なくとも１つが、前記システムの回転軸に垂直な平面に対してある角度をなして配置された平面を画定する、請求項１〜１７のいずれか一項に記載のコネクタシステム。
【請求項１９】
注ぎ口を含む液体出口と、
前記注ぎ口の外側に半径方向に間隔を空けられた第１の接続形体とを含み、前記第１の接続形体が、
回転方向に沿って前記注ぎ口の周りを回転する面を含み、前記面が、第１の平らな区分及び第１の傾斜区分に沿って第２のアンダーカット部まで前記回転方向において円周方向に延びる第１の部分を含む、スプレーガン収容容器構成要素。
【請求項２０】
前記第１の傾斜区分が部分らせん形状を含む、請求項１９に記載のスプレーガン収容容器構成要素。
【請求項２１】
前記第１の傾斜区分が、前記第１の平らな区分から前記第２のアンダーカット部まで長手方向下向きに先細りになる、請求項１９又は２０に記載のスプレーガン収容容器構成要素。
【請求項２２】
前記第１の部分が、第１のアンダーカット部から前記第２のアンダーカット部まで円周方向に延びる、請求項１９〜２１のいずれか一項に記載のスプレーガン収容容器構成要素。
【請求項２３】
前記面が、前記第２のアンダーカット部から前記第１のアンダーカット部まで前記回転方向において円周方向に延びる第２の部分を含む、請求項２２に記載のスプレーガン収容容器構成要素。
【請求項２４】
前記面の前記第２の部分が、第２の平らな区分及び第２の傾斜区分に沿って第１のアンダーカット部まで前記回転方向において円周方向に延びる、請求項２３に記載のスプレーガン収容容器構成要素。
【請求項２５】
前記第２の傾斜区分が部分らせん形状を含む、請求項２４に記載のスプレーガン収容容器構成要素。
【請求項２６】
前記第２の傾斜区分が、前記第２の平らな区分から前記第１のアンダーカット部まで長手方向下向きに先細りになる、請求項２４又は２５に記載のスプレーガン収容容器構成要素。
【請求項２７】
前記第２のアンダーカット部が肩部を含む、請求項１９〜２６のいずれか一項に記載のスプレーガン収容容器構成要素。
【請求項２８】
前記第１のアンダーカット部が肩部を含む、請求項２２〜２７のいずれか一項に記載のスプレーガン収容容器構成要素。
【請求項２９】
前記面の前記第１の部分に対応する第１の保持構造体を更に含む、請求項１９〜２８のいずれか一項に記載のスプレーガン収容容器構成要素。
【請求項３０】
前記第１の保持構造体が、前記第１の平らな区分から前記第１の傾斜区分への移行部に設置される、請求項２９に記載のスプレーガン収容容器構成要素。
【請求項３１】
前記第１の保持構造体が、前記第１の部分の円周方向の中点に位置する、請求項２９又は３０に記載のスプレーガン収容容器構成要素。
【請求項３２】
前記第１の保持構造体が、前記第２のアンダーカット部と前記第１のアンダーカット部との間の円周方向の中点に位置する、請求項２９〜３１のいずれか一項に記載のスプレーガン収容容器構成要素。
【請求項３３】
前記第１の保持構造体が第１の捕捉領域を画定する、請求項２９〜３２のいずれか一項に記載のスプレーガン収容容器構成要素。
【請求項３４】
前記第１の捕捉領域が、前記第１の保持構造体の第１の端部と前記第１の保持構造体の第２の端部との間の延長部内に垂直下向きの構成要素を含む、請求項３３に記載のスプレーガン収容容器構成要素。
【請求項３５】
前記第１の捕捉領域が、回転方向において前記注ぎ口周りに回されるらせん体の区分を含む、請求項３４に記載のスプレーガン収容容器構成要素。
【請求項３６】
前記面の前記第２の部分に対応する第２の保持構造体を更に含む、請求項２３〜３５のいずれか一項に記載のスプレーガン収容容器構成要素。
【請求項３７】
前記第２の保持構造体が、前記第２の平らな区分から前記第２の傾斜区分への移行部に設置される、請求項３６に記載のスプレーガン収容容器構成要素。
【請求項３８】
前記第２の保持構造体が、前記第２の部分の円周方向の中点に位置する、請求項３６又は３７に記載のスプレーガン収容容器構成要素。
【請求項３９】
前記第２の保持構造体が、前記第１のアンダーカット部と前記第２のアンダーカット部との間の円周方向の中点に位置する、請求項３６〜３８のいずれか一項に記載のスプレーガン収容容器構成要素。
【請求項４０】
前記第２の保持構造体が第２の捕捉領域を画定する、請求項３６〜３９のいずれか一項に記載のスプレーガン収容容器構成要素。
【請求項４１】
前記第２の捕捉領域が、前記第２の保持構造体の第１の端部と前記第２の保持構造体の第２の端部との間の延長部内に垂直下向きの構成要素を含む、請求項４０に記載のスプレーガン収容容器構成要素。
【請求項４２】
前記第２の捕捉領域が、前記回転方向において前記注ぎ口周りに回されるらせん体の区分を含む、請求項４１に記載のスプレーガン収容容器構成要素。
【請求項４３】
前記第１の接続形体がプラットフォームを含み、前記プラットフォームが前記面を含む、請求項１９〜４２のいずれか一項に記載のスプレーガン収容容器構成要素。
【請求項４４】
前記注ぎ口が２２ｍｍ以上の内径を有する、請求項１９〜４３のいずれか一項に記載のスプレーガン収容容器構成要素。
【請求項４５】
前記第１及び第２の保持構造体が、前記注ぎ口周りに配置され、前記注ぎ口から半径方向に間隔を空けられる、請求項３６〜４４のいずれか一項に記載のスプレーガン収容容器構成要素。
【請求項４６】
前記第１及び第２の保持構造体がそれぞれ、接触表面と、係合表面を画定するくさび体とを含み、更に、前記係合表面が前記接触表面から長手方向に間隔を空けられ、前記接触表面及び前記係合表面が結合して、対応する捕捉領域の少なくとも一部を画定する、請求項３６〜４５のいずれか一項に記載のスプレーガン収容容器構成要素。
【請求項４７】
前記接触表面及び前記係合表面のうちの少なくとも１つが、システムの回転軸に垂直な平面に対してある角度をなして配置された平面を画定する、請求項４６に記載のスプレーガン収容容器構成要素。
【請求項４８】
前記プラットフォームが接触表面を画定し、更に、前記第１及び第２の保持構造体が前記接触表面から長手方向に離れて突出する、請求項４３〜４７のいずれか一項に記載のスプレーガン収容容器構成要素。
【請求項４９】
前記接触表面が円を画定する、請求項４８に記載のスプレーガン収容容器構成要素。
【請求項５０】
前記接触表面の少なくとも一部が実質的に平坦である、請求項４８又は４９に記載のスプレーガン収容容器構成要素。
【請求項５１】
前記スプレーガン収容容器構成要素がスプレーガン収容容器に対する蓋である、請求項１９〜５０のいずれか一項に記載のスプレーガン収容容器構成要素。
【請求項５２】
前記スプレーガン収容容器構成要素がポットである、請求項１９〜５１のいずれか一項に記載のスプレーガン収容容器構成要素。
【発明の詳細な説明】
【背景技術】
【０００１】
本開示は、スプレーガンのような液体噴霧装置に関する。より具体的には、本開示は、スプレーガンと、噴霧される液体を収容する収容容器との間の接続に関する。
【０００２】
スプレーガンは、事故の後に修理された車両を再噴霧する際に、車体修理工場で広く使用される。知られているスプレーガンでは、液体は、液体がスプレーノズルに供給されるガンに取り付けられた収容容器内に収容される。液体は、スプレーノズルから出ると、ノズルに供給される圧縮空気によって霧化されて噴霧を形成する。液体は、重力供給若しくは吸い込み供給されてもよく、又はより最近では、スプレーガンへの圧縮空気ラインから又はスプレーガン自体から、収容容器への空気抜きラインによって圧力供給されてもよい。
【発明の概要】
【０００３】
従来、液体は、スプレーガンに取り外し可能に取り付けられた固い収容容器又はポットの中に収容される。このようにして、ポットは、洗浄又は交換のために取り外すことができる。以前は、ポットは、空でガンに固定されており、ガンに取り付けられたままでポットに所望の液体を追加することができる取り外し可能な蓋が設けられていた。噴霧が完了すると、ポットは取り外され、ガンとポットは再使用のために洗浄され得る。
【０００４】
より最近では、塗装者がより少ない塗料を混合することを可能にし、ガン洗浄に要する技術者の時間を大幅に減少させる収容容器組立体が開発されている。ミネソタ州セントポールの３Ｍ社から入手可能なＰＰＳ（商標）ペイントプレパレーションシステムは、従来の混合カップ及び塗料ろ過器の必要性を排除する収容容器を提供する。ＰＰＳ（商標）ペイントプレパレーションシステム収容容器は、再使用可能な外部容器又はカップ、蓋なしの入れ子、及び蓋を含む。入れ子は外部容器に緊密に嵌合され、噴霧されるべき塗料（又は他の液体）が入れ子の中に収容される。蓋は入れ子に組み付けられ、収容された塗料が搬送される注ぎ口又は導管を提供する。使用中、塗料が引き出されるにつれて入れ子は潰れ、噴霧後に入れ子及び蓋は取り外すことができ、次にスプレーガンを使用する際に新しい清浄な入れ子及び蓋を使用することが可能になる。その結果、必要な洗浄の量は大幅に低減され、スプレーガンは、簡単な方法で異なる塗料（又は他の噴霧可能なコーティング）を適用するために容易に適応され得る。
【０００５】
正確な形体にかかわらず、収容容器又はポットは、スプレーガンへの取り外し可能な組み付け又は取り付けを容易にする１つ以上の接続機構を組み込む。多くの例では、スプレーガン及び収容容器は縦一列に設計され、収容容器をスプレーガンに直接組み付けることを促進する相補的接続形体を提供する。他の例では、アダプタが収容容器とスプレーガンとの間に使用される。アダプタは、スプレーガン入口に適合する一端における第１の接続形体と、収容容器出口に適合する反対端の第２の接続形体とを有する。どちらのアプローチの場合も、従来、スプレーガンと収容容器との間の解除可能な接続が、標準的なねじ式接続形体を介して達成されていた。例えば、参照によりその全教示が本明細書に組み込まれている米国出願公開第２０１３／０２２１１３０号において記載されるように、収容容器を接続／接続解除するために、収容容器の必要な回転が１回転未満である押してひねる動作によって係合可能なバヨネット式構成を使用する解除可能なクイックフィット接続など、他の接続形体も同様に提案されている。偶発的な収容容器の解除又は収容容器とスプレーガンとの間の低下した液密封止の可能性を最小にするために、参照によりその全教示が本明細書に組み込まれている米国特許第７，０８３，１１９号に記載されるように、セキュリティクリップを相補的接続形体に組み込むことが、更に提案されている。これら及び他の接続形体によって、収容容器とスプレーガンとの間の取り外し可能な接続の容易性及び確実性は大幅に改善されたが、改善の機会は残されている。
【０００６】
本開示の発明者らは、上記の問題のうちの１つ以上を克服する必要性が存在することを認識した。
【０００７】
本開示のいくつかの態様は、スプレーガン収容容器コネクタシステムを対象とする。このシステムは、収容容器と、スプレーガン入口と、第１の接続形体及び第２の接続形体とを含む。収容容器は蓋を含む。第１の接続形体には、蓋及びスプレーガン入口のうちの一方が設けられ、第２の接続形体には、蓋及びスプレーガン入口のうちの他方が設けられる。第１の接続形体は、捕捉領域を各々が画定する複数の保持構造体を含む。保持構造体は円形パターンでひとまとめに配置され、互いに円周方向に間隔を空けられる。第２の接続形体は、保持構造体のうちのそれぞれの保持構造体の捕捉領域と選択的に接合するように構成されたシム体を各々が含む、複数の係止構造体を含む。係止構造体は円形パターンでひとまとめに配置され、互いに円周方向に間隔を空けられる。接続形体は、スプレーガン入口を蓋に対して回すときに、係止構造体と保持構造体のうちの対応する保持構造体との間にくさび留め係合を設けるように構成される。いくつかの実施形態では、蓋は液体出口又は注ぎ口を更に含み、対応する保持構造体又は係止構造体は注ぎ口の外側で半径方向に間隔を空けられる。いくつかの非限定的な実施形態では、注ぎ口は、任意に、２２ｍｍ以上の内径を有する場合がある。
【０００８】
本開示のコネクタシステムは、収容容器をスプレーガンに（直接スプレーガンに、又はスプレーガンに取り付けられているアダプタに）簡単かつ迅速に取り付ける（及び取り外す）ことを容易にする。相補的接続形体は、係止されて液体封止された接続を達成するために整合され、次いで互いに対して回される（いくつかの実施形態では、液体封止はまた、回転前に達成され得ることを理解されたい）。本開示のいくつかの実施形態によって提供されるより大きい直径の注ぎ口構成は、（より大きい直径の開口及び比較的滑らかなアダプタチャンバの内部によって）より容易な洗浄を促進する。
【０００９】
本明細書で使用される「液体」という用語は、材料の特性及び／又は意図される用途に応じて、霧化されるか又は霧化されない形態で適用されてもよい、塗料、下塗剤、下地塗り、ラッカー、ワニス、及び同様の塗料状材料、並びに接着剤、シーラー、充填剤、パテ、粉体コーティング、ブラスト粉体、研磨スラリー、離型剤、及び鋳物包帯剤などの他の材料を（限定されることなく）含む、スプレーガンを使用して表面に適用され得るすべての形態の流動性材料を（それらが表面を着色することを意図するか否かにかかわらず）指し、「液体」という用語は状況に応じて解釈されるべきである。
【００１０】
本開示は以下の例示的な実施形態を含むが、これらに限定されるものではない。
１．蓋を含む収容容器と、
スプレーガン入口と、
蓋及びスプレーガン入口のうちの一方が設けられた第１の接続形体であって、捕捉領域を各々が画定する複数の保持構造体を含み、保持構造体が円形パターンにひとまとめに配置されて互いに円周方向に間隔を空けられる、第１の接続形体と、
蓋及びスプレーガン入口のうちの他方が設けられた第２の接続形体であって、保持構造体のうちのそれぞれの保持構造体の捕捉領域と選択的に接合するように構成されたシム体を各々が含む複数の係止構造体を含み、係止構造体が円形パターンにひとまとめに配置されて互いに円周方向に間隔を空けられる、第２の接続形体とを含み、
接続形体が、スプレーガン入口を蓋に対して回すときに、係止構造体と保持構造体のうちの対応する保持構造体との間にくさび留め係合を設けるように構成される、スプレーガン収容容器コネクタシステム。
２．蓋が注ぎ口を有する液体出口を更に含み、更に、蓋に関連する接続形体が注ぎ口の外側に半径方向に間隔を空けられる、実施形態１に記載のコネクタシステム。
３．注ぎ口が２２ｍｍ以上の内径を有する、実施形態２に記載のコネクタシステム。
４．第１の接続形体に蓋が設けられ、第２の接続形体にスプレーガン入口が設けられる、実施形態１〜３のいずれか一形態に記載のコネクタシステム。
５．蓋が液体出口を更に含み、更に、保持構造体が液体出口周りに配置され、液体出口から半径方向に間隔を空けられる、実施形態４に記載のコネクタシステム。
６．第２の接続形体に蓋が設けられ、第１の接続形体にスプレーガン入口が設けられる、実施形態１〜３のいずれか一形態に記載のコネクタシステム。
７．蓋が液体出口を更に含み、更に、係止構造体が液体出口周りに配置され、液体出口から半径方向に間隔を空けられる、実施形態６に記載のコネクタシステム。
８．スプレーガン入口が、スプレーガンに接続するように適応されたアダプタ上にある、実施形態１〜７のいずれか一形態に記載のコネクタシステム。
９．アダプタが、管状部材と、スプレーガン入口ポートに接続するように構成されたコネクタ機構とを更に含む、実施形態８に記載のコネクタシステム。
１０．スプレーガン入口がスプレーガンと一体である、実施形態１〜７のいずれか一形態に記載のコネクタシステム。
１１．保持構造体がそれぞれ、接触表面と、係合表面を画定するくさび体とを含み、更に、係合表面が接触表面から長手方向に間隔を空けられ、更に、接触表面及び係合表面が結合して、対応する捕捉領域の少なくとも一部を画定する、実施形態１〜１０のいずれか一形態に記載のコネクタシステム。
１２．接触表面及び係合表面のうちの少なくとも１つが、システムの回転軸に垂直な平面に対してある角度をなして配置された平面を画定する、実施形態１１に記載のコネクタシステム。
１３．第１の接続形体が接触表面を画定するプラットフォームを更に含み、更に、保持構造体が接触表面から長手方向に離れて突出する、実施形態１〜１２のいずれか一形態に記載のコネクタシステム。
１４．接触表面が円を画定する、実施形態１３に記載のコネクタシステム。
１５．接触表面の少なくとも一部が実質的に平坦である、実施形態１３又は１４に記載のコネクタシステム。
１６．プラットフォームが接触表面内の複数のアンダーカット部を画定する、実施形態１３〜１５のいずれか一形態に記載のコネクタシステム。
１７．係止構造体の各々が、対応するシム体から延びる停止体を更に含む、実施形態１〜１６のいずれか一形態に記載のコネクタシステム。
１８．係止構造体の各々のシム体が、係止面の反対側に当接面を画定し、更に、当接面及び係止面のうちの少なくとも１つが、システムの回転軸に垂直な平面に対してある角度をなして配置された平面を画定する、実施形態１〜１７のいずれか一形態に記載のコネクタシステム。
１９．注ぎ口を含む液体出口と、
注ぎ口の外側に半径方向に間隔を空けられた第１の接続形体とを含み、第１の接続形体が、
回転方向に沿って注ぎ口の周りを回転する面を含み、面が、第１の平らな区分及び第１の傾斜区分に沿って第２のアンダーカット部まで回転方向において円周方向に延びる第１の部分を含む、スプレーガン収容容器構成要素。
２０．第１の傾斜区分が部分らせん形状を含む、実施形態１９に記載のスプレーガン収容容器構成要素。
２１．第１の傾斜区分が、第１の平らな区分から第２のアンダーカット部まで長手方向下向きに先細りになる、実施形態１９又は２０に記載のスプレーガン収容容器構成要素。
２２．第１の部分が、第１のアンダーカット部から第２のアンダーカット部まで円周方向に延びる、実施形態１９〜２１のいずれか一形態に記載のスプレーガン収容容器構成要素。
２３．面が、第２のアンダーカット部から第１のアンダーカット部まで回転方向において円周方向に延びる第２の部分を含む、実施形態２２に記載のスプレーガン収容容器構成要素。
２４．面の第２の部分が、第２の平らな区分及び第２の傾斜区分に沿って第１のアンダーカット部まで回転方向において円周方向に延びる、実施形態２３に記載のスプレーガン収容容器構成要素。
２５．第２の傾斜区分が部分らせん形状を含む、実施形態２４に記載のスプレーガン収容容器構成要素。
２６．第２の傾斜区分が、第２の平らな区分から第１のアンダーカット部まで長手方向下向きに先細りになる、実施形態２４又は２５に記載のスプレーガン収容容器構成要素。
２７．第２のアンダーカット部が肩部を含む、実施形態１９〜２６のいずれか一形態に記載のスプレーガン収容容器構成要素。
２８．第１のアンダーカット部が肩部を含む、実施形態２２〜２７のいずれか一形態に記載のスプレーガン収容容器構成要素。
２９．面の第１の部分に対応する第１の保持構造体を更に含む、実施形態１９〜２８のいずれか一形態に記載のスプレーガン収容容器構成要素。
３０．第１の保持構造体が、第１の平らな区分から第１の傾斜区分への移行部に設置される、実施形態２９に記載のスプレーガン収容容器構成要素。
３１．第１の保持構造体が、第１の部分の円周方向の中点に位置する、実施形態２９又は３０に記載のスプレーガン収容容器構成要素。
３２．第１の保持構造体が、第２のアンダーカット部と第１のアンダーカット部との間の円周方向の中点に位置する、実施形態２９〜３１のいずれか一形態に記載のスプレーガン収容容器構成要素。
３３．第１の保持構造体が第１の捕捉領域を画定する、実施形態２９〜３２のいずれか一形態に記載のスプレーガン収容容器構成要素。
３４．第１の捕捉領域が、第１の保持構造体の第１の端部と第１の保持構造体の第２の端部との間の延長部内に垂直下向きの構成要素を含む、実施形態３３に記載のスプレーガン収容容器構成要素。
３５．第１の捕捉領域が、回転方向において注ぎ口周りに回されるらせん体の区分を含む、実施形態３４に記載のスプレーガン収容容器構成要素。
３６．面の第２の部分に対応する第２の保持構造体を更に含む、実施形態２３〜３５のいずれか一形態に記載のスプレーガン収容容器構成要素。
３７．第２の保持構造体が、第２の平らな区分から第２の傾斜区分への移行部に設置される、実施形態３６に記載のスプレーガン収容容器構成要素。
３８．第２の保持構造体が、第２の部分の円周方向の中点に位置する、実施形態３６又は３７に記載のスプレーガン収容容器構成要素。
３９．第２の保持構造体が、第１のアンダーカット部と第２のアンダーカット部との間の円周方向の中点に位置する、実施形態３６〜３８のいずれか一形態に記載のスプレーガン収容容器構成要素。
４０．第２の保持構造体が第２の捕捉領域を画定する、実施形態３６〜３９のいずれか一形態に記載のスプレーガン収容容器構成要素。
４１．第２の捕捉領域が、第２の保持構造体の第１の端部と第２の保持構造体の第２の端部との間の延長部内に垂直下向きの構成要素を含む、実施形態４０に記載のスプレーガン収容容器構成要素。
４２．第２の捕捉領域が、回転方向において注ぎ口周りに回されるらせん体の区分を含む、実施形態４１に記載のスプレーガン収容容器構成要素。
４３．第１の接続形体がプラットフォームを含み、プラットフォームが面を含む、実施形態１９〜４２のいずれか一形態に記載のスプレーガン収容容器構成要素。
４４．注ぎ口が２２ｍｍ以上の内径を有する、実施形態１９〜４３のいずれか一形態に記載のスプレーガン収容容器構成要素。
４５．第１及び第２の保持構造体が、注ぎ口周りに配置され、注ぎ口から半径方向に間隔を空けられる、実施形態３６〜４４のいずれか一形態に記載のスプレーガン収容容器構成要素。
４６．第１及び第２の保持構造体がそれぞれ、接触表面と、係合表面を画定するくさび体とを含み、更に、係合表面が接触表面から長手方向に間隔を空けられ、接触表面及び係合表面が結合して、対応する捕捉領域の少なくとも一部を画定する、実施形態３６〜４５のいずれか一形態に記載のスプレーガン収容容器構成要素。
４７．接触表面及び係合表面のうちの少なくとも１つが、システムの回転軸に垂直な平面に対してある角度をなして配置された平面を画定する、実施形態４６に記載のスプレーガン収容容器構成要素。
４８．プラットフォームが接触表面を画定し、更に、第１及び第２の保持構造体が接触表面から長手方向に離れて突出する、実施形態４３〜４７のいずれか一形態に記載のスプレーガン収容容器構成要素。
４９．接触表面が円を画定する、実施形態４８に記載のスプレーガン収容容器構成要素。
５０．接触表面の少なくとも一部が実質的に平坦である、実施形態４８又は４９に記載のスプレーガン収容容器構成要素。
５１．スプレーガン収容容器構成要素がスプレーガン収容容器に対する蓋である、実施形態１９〜５０のいずれか一形態に記載のスプレーガン収容容器構成要素。
５２．スプレーガン収容容器構成要素がポットである、実施形態１９〜５１のいずれか一形態に記載のスプレーガン収容容器構成要素。
【図面の簡単な説明】
【００１１】
【図１】スプレーガンと収容容器とを含むスプレーガン組立体の簡略斜視図である。
【図２】本開示の原理による接続形体を組み込む収容容器の分解組立図である。
【図３】本開示の原理による、相補的接続形体を含む、スプレーガン収容容器コネクタシステムの一部の斜視図である。
【図４Ａ】図３の収容容器の蓋部分の斜視図である。
【図４Ｂ】図４Ａの蓋の上面図である。
【図４Ｃ】図４Ａの蓋の側面図である。
【図４Ｄ】図４Ａの蓋の縦断面図である。
【図４Ｅ】図４Ａの蓋の一部の拡大断面図である。
【図４Ｆ】異なる断面平面からの図４Ｅの一部の拡大断面図である。
【図５Ａ】本開示のコネクタシステムに対して有用であり、図４Ａの蓋の接続形体に対して相補的な接続形体を含む、アダプタの斜視図である。
【図５Ｂ】図５Ａのアダプタの上面図である。
【図５Ｃ】図５Ａのアダプタの正面図である。
【図５Ｄ】図５Ａのアダプタの側面図である。
【図５Ｅ】図５Ａのアダプタの縦断面図である。
【図６】図５Ａのアダプタに図４Ａの蓋を結合することを含む、図３のコネクタシステムの組立体を示す。
【図７Ａ】図５Ａのアダプタに図４Ａの蓋を結合することを含む、図３のコネクタシステムの組立体を示す。
【図７Ｂ】図５Ａのアダプタに図４Ａの蓋を結合することを含む、図３のコネクタシステムの組立体を示す。
【図８Ａ】図５Ａのアダプタに図４Ａの蓋を結合することを含む、図３のコネクタシステムの組立体を示す。
【図８Ｂ】図５Ａのアダプタに図４Ａの蓋を結合することを含む、図３のコネクタシステムの組立体を示す。
【図８Ｃ】図５Ａのアダプタに図４Ａの蓋を結合することを含む、図３のコネクタシステムの組立体を示す。
【図８Ｄ】図５Ａのアダプタに図４Ａの蓋を結合することを含む、図３のコネクタシステムの組立体を示す。
【図９Ａ】図５Ａのアダプタに図４Ａの蓋を結合することを含む、図３のコネクタシステムの組立体を示す。
【図９Ｂ】図５Ａのアダプタに図４Ａの蓋を結合することを含む、図３のコネクタシステムの組立体を示す。
【図９Ｃ】図５Ａのアダプタに図４Ａの蓋を結合することを含む、図３のコネクタシステムの組立体を示す。
【図１０】本開示の原理による、収容容器の蓋及びアダプタに組み込まれる、別のスプレーガン収容容器コネクタシステムの分解斜視図である。
【図１１】図１０の蓋の一部の拡大側面図である。
【図１２】最終的な組み付け時の図１０の蓋及びアダプタの一部の簡略断面図である。
【図１３】本開示の原理による、収容容器の蓋及びアダプタに組み込まれる、別のスプレーガン収容容器コネクタシステムの分解斜視図である。
【図１４Ａ】図１３の蓋の斜視図である。
【図１４Ｂ】図１４Ａの蓋の正面図である。
【図１４Ｃ】図１４Ａの蓋の側面図である。
【図１４Ｄ】図１４Ａの蓋の上面図である。
【図１４Ｅ】図１４Ａの蓋の一部の拡大断面図である。
【図１５Ａ】図１３のアダプタの斜視図である。
【図１５Ｂ】図１５Ａのアダプタの側面図である。
【図１５Ｃ】図１５Ａのアダプタの正面図である。
【図１５Ｄ】図１５Ａのアダプタの断面図である。
【図１６Ａ】図１５Ａのアダプタに図１４Ａの蓋を結合することを示す。
【図１６Ｂ】図１５Ａのアダプタに図１４Ａの蓋を結合することを示す。
【図１７Ａ】図１５Ａのアダプタに図１４Ａの蓋を結合することを示す。
【図１７Ｂ】図１５Ａのアダプタに図１４Ａの蓋を結合することを示す。
【図１７Ｃ】図１５Ａのアダプタに図１４Ａの蓋を結合することを示す。
【図１８Ａ】本開示の原理による別の蓋の斜視図である。
【図１８Ｂ】図１８Ａの蓋の側面図である。
【図１８Ｃ】図１８Ｃの蓋の上面図である。
【図１８Ｄ】図１８Ａの蓋の断面図である。
【図１９】本開示の原理による接続形体を組み込むモジュール式蓋組立体の分解斜視図である。
【発明を実施するための形態】
【００１２】
本開示の態様は、スプレーガンと収容容器との間の解除可能な封止接続を容易にする接続システムを対象とする。背景として、図１は、重力供給式のスプレーガン３０と収容容器３２とを含むスプレーガン塗装システム２０を示す。ガン３０は、本体４０と、ハンドル４２と、本体４０の前端におけるスプレーノズル４４とを含む。ガン３０は、本体４０の両側に枢動可能に取り付けられた引き金４６によって手動で操作される。入口ポート４８（概略的に参照される）は、本体４０の中に形成されるか又は本体４０によって担持され、スプレーガン３０の内部スプレー導管（隠れている）と収容容器３２との間の流体接続を確立するように構成される。収容容器３２は、噴霧される液体（例えば、塗料）を収容し、入口ポート４８に接続される（図１の図面に示す接続が必ずしも本開示の接続を示すとは限らないことを理解されたい）。使用中、スプレーガン３０は、ハンドル４２の下端におけるコネクタ４９を介して圧縮空気源（図示せず）に接続される。ユーザが引き金４６を引くと、圧縮空気がガン３０を通して送り出され、塗料が、収容容器３２からスプレーガン３０を通してノズル４４に重力で送り出される。その結果、塗料（又は他の液体）がノズル４４を離れて霧化され、ノズル４４を離れる圧縮空気とともに噴霧を形成する。
【００１３】
図示を容易にするために、スプレーガン３０と収容容器３２との間の本開示の接続形体は、図１の図面に含まれない。一般的には、収容容器３２は、スプレーガン３０への接続のために第１の接続形体を確立する１つ以上の構成要素を含む。収容容器３２と入口ポート４８との間に組み付けられたアダプタ（図示せず）との、又はスプレーガン３０との、相補的な第２の接続形体が含まれる。この背景を念頭において、図２は、本開示の原理による収容容器５０の非限定的な一例を示す。収容容器５０は、外部容器５２及び蓋５４を含む。蓋５４は、以下により詳細に説明する第１の接続形体又は接続機構５６（概略的に参照される）を含むか又は設ける。収容容器５０の残された構成要素は様々な形態を取ることができ、任意である。例えば、いくつかの実施形態では、収容容器５０は入れ子５８とカラー６０とを更に含む。一般的には、入れ子５８は、容器５２の内部と形状が合致し（及びその内部に緊密に嵌合し）、容器５２の上縁に着座する開放端において幅の狭いリム６２を有することができる。蓋５４は、入れ子５８の開放端の中に押し込み嵌合されて、蓋５４の周縁を入れ子５８のリム６２の上方に位置付けるように構成される。蓋／入れ子組立体は、容器５２を解除可能に係合する環状カラー６０（例えば、図示のねじ式接合、スナップ嵌め等）によって適所に固定される。
【００１４】
接続形体５６に加えて、蓋５４は、入れ子５８によって収容された液体が流れ得る液体出口６４（概略的に参照される）を形成する。使用中、入れ子５８は、塗料が収容容器５０から引き出されるにつれて蓋５４の方に軸方向に潰れる。外部容器５２の底部の中の任意の通気口６６は、入れ子５８が潰れるにつれて空気が入ることを可能にする。噴霧終了時に、収容容器５０は、スプレーガン３０（図１）から外すことができ、カラー６０は解除され、蓋／入れ子組立体は一体で外部容器５２から取り外される。外部容器５２及びカラー６０は清浄なまま残され、新しい入れ子５８及び蓋５４を用いて再使用する準備ができている。このようにして、収容容器５０の過剰な洗浄を回避することができる。
【００１５】
他の実施形態では、本開示の収容容器は、入れ子５８及び／又はカラー６０を含む必要がない。本開示の接続形体は、図面に直接示されるか又は示されない場合がある多くの他の収容容器構成によって実装され得る。
【００１６】
上述のように、蓋５４が設けられた第１の接続形体５６は、スプレーガン入口又は装置が設けられた相補的な第２の接続形体と解除可能に接続するように構成される。参照の目的で、図３は、蓋５４を、通常は第２の相補的接続形体７２（概略的に参照される）を担持又は提供するスプレーガン入口７０の一部とともに示す。スプレーガン入口７０は、アダプタ、スプレーガン３０（図１）の一体部分等であり得る。いずれにしても、第１の接続形体５６及び第２の接続形体７２は縦一列に構成され、蓋５４とスプレーガン入口７０との間の解除可能で液密封止された取り付け又は接続を促進する。いくつかの実施形態では、第１の相補的接続形体５６及び第２の相補的接続形体７２は、本開示の原理によるスプレーガン収容容器コネクタシステム７４をひとまとめに画定するものと見なされ得る。
【００１７】
次に、第１の接続形体５６が、場合によっては蓋５４を分離して示す図４Ａ〜図４Ｄを参照しながら説明される。蓋５４の形状は、長手方向軸Ａを画定するものと見なされ得る。第１の接続形体５６及び液体出口６４に加えて、蓋５４は壁８０と、フランジ８２と、ハブ８４とを含むか又は画定する。壁８０は、対向する内面８６及び外面８８を画定し、壁８０の少なくとも外面８８は、例えば（限定はしないが）図面に示す湾曲した（例えば、半球状の）形状を有する。最終的に、壁８０は、長手方向軸Ａと同軸である中心開口９０（図４Ｄに最も良く示す）を画定する。フランジ８２は、中心開口９０の反対側の壁８０の外周部から半径方向外向きに突出し、収容容器５０（図２）の１つ以上の他の構成要素、例えば外部容器５２（図２）と接合するように構成される。ハブ８４は、壁８０と反対方向にフランジ８２から（長手方向軸Ａに対して）長手方向に突出し、収容容器５０、例えば入れ子５８（図２）の１つ以上の他の構成要素と接合するように構成され得る。壁８０、フランジ８２、及びハブ８４は、多様な他の形態を取ることができる。更に、他の実施形態では、フランジ８２及びハブ８４の一方又は両方を省略することができる。
【００１８】
液体出口６４は注ぎ口１００を含む。注ぎ口１００は、長手方向軸Ａと同軸であり、壁８０から（図４Ａの位置付けに対して）上方に突出し、先端表面１０２において終了する。注ぎ口１００は、中心開口９０と整合され、中心開口９０に対して開いている通路１０４（図４Ｄに最も良く示す）を画定する。この構成によれば、（例えば、壁８０の内面８６の範囲内のあるロケーションから注ぎ口１００の外のあるロケーションまで）液体出口６４を通る液体の流れは、中心開口９０及び通路１０４を通って容易に発生する。
【００１９】
いくつかの実施形態では、液体出口６４は、第１の接続形体５６の構成要素と任意に見なされ得る１つ以上の追加の機構を含む。例えば、先端表面１０２は、蓋５４へ組み付けられると、相補的構成要素又はデバイス（例えば、図３のスプレーガン入口７０）と面封止部を形成するように構成され得る。封止関係は、長手方向軸Ａに垂直な平面内の実質的に平らな又は平坦な（すなわち、真に平らな又は平坦な形状の５％以内）先端表面１０２によって確立され得る。更に、１つ以上の環状リブ１０６が、注ぎ口１００の外側に沿って先端表面１０２の近傍に形成され得、蓋５４へ組み付けられると、スプレーガン入口７０との環状封止部を形成するように構成され得る。代替的に、蓋５４とスプレーガン入口７０との間の液密封止は、先端表面１０２及び環状リブ１０６の一方又は両方含むか又は含まない場合がある多様な他の構成によって促進され得る。
【００２０】
第１の接続形体５６は、プラットフォーム１１０と複数の保持構造体１１２とを含む。プラットフォーム１１０及び保持構造体１１２は、注ぎ口１００の外のロケーションにおいて壁８０の外面８８から突出し、以下で説明するように、第２の相補的接続形体７２（図３）との選択的接続又は取り付けを容易にするように構成される。
【００２１】
プラットフォーム１１０は、外面８８から延びて接触表面１２０において終了する。接触表面１２０は、スプレーガン入口（図示せず）との摺動接合をもたらすように構成され、壁８０の任意の湾曲形状とは異なる形状を有することができる。いくつかの実施形態では、接触表面１２０は、長手方向軸Ａに垂直な平面内で実質的に平らであるか又は平坦である（すなわち、真に平らな又は平坦な形状の５％以内）。接触表面１２０は、注ぎ口１００を円周方向に取り巻き、保持構造体１１２のロケーションに対応するように大きさと形状とを決められる。例えば、図４Ａに最も良く示すように、接触表面１２０は、保持構造体１１２の各々の領域内に拡大された半径方向の幅を有することができる。他の実施形態では、接触表面１２０は、より均一な半径方向の幅を有することができる。
【００２２】
いくつかの実施形態では、保持構造体１１２は同一であり得る。保持構造体１１２の各々は、対向する第１の端部１２４と第２の端部１２６とを画定し、支持体１３０とくさび体１３２とを含む。支持体１３０は、注ぎ口１００から半径方向に間隔を空けられ、壁８０から上方に突出する。１つ以上の補強リブ１３３は、支持体１３０と壁８０との間に任意に設けられ、使用中に支持体１３０が注ぎ口１００から離れるたわみを最小にする役割を果たす。くさび体１３２は、壁８０の反対側に支持体１３０から半径方向内向きに突出する。捕捉領域１３４は、スプレーガン入口７０の対応する機構を受けるために、接触表面１２０と、支持体１３０と、くさび体１３２とで画定される（図３）。
【００２３】
より具体的には、図４Ｅに最も良く示すように、支持体１３０の突出部は案内表面１３６を画定する。案内表面１３６は注ぎ口１００に面し、注ぎ口１００の外側から半径方向の間隔Ｒだけ半径方向に間隔を空けられる。くさび体１３２は、案内表面１３６に対して半径方向内向きに突出し、係合表面１３８と整合表面１４０とを画定する。係合表面１３８は接触表面１２０に面し、接触表面１２０から長手方向間隔Ｌだけ長手方向に間隔を空けられる。接触表面１２０、案内表面１３６及び係合表面１３８が結合して捕捉領域１３４を画定する。整合表面１４０は注ぎ口１００に面し、注ぎ口１００の外側から半径方向の間隙Ｇだけ半径方向に間隔を空けられる。半径方向の間隔Ｒ及び半径方向の間隙Ｇの寸法は、スプレーガン入口７０の幾何学的機構に対応する（図３）。これに関連して、更に図４Ｄを参照すると、案内表面１３６は、長手方向軸Ａに対して、捕捉直径Ｄ１をひとまとめに画定し、整合表面１４０は、隙間直径Ｄ２をひとまとめに画定する。捕捉直径Ｄ１及び隙間直径Ｄ２は、以下に説明するように、所望の結合及び結合解除動作を容易にするためにスプレーガン入口７０の幾何学的機構に従って選択される（その逆も同様）。
【００２４】
接触表面１２０及び係合表面１３８の幾何学的配置は、捕捉領域１３４内で相補的な第２の接続形体７２（図３）の対応する機構のくさび状係合が容易になるように構成される。図４Ｆを参照すると、係合表面１３８は実質的に平らであり（すなわち、真に平らな形状の５％以内）、係合表面１３８の平面は、接触表面１２０の平面に対して非平行である。例えば、接触表面１２０及び係合表面１３８の平面が結合して１〜７０度程度、例えば１〜３０度の範囲内の狭角を画定する。この構成によれば、長手方向間隔Ｌは、第１の端部１２４から第２の端部１２６まで先細りになる。この先細りの又はくさび状の形状によって、最初に第１の端部１２４において捕捉領域１３４内に挿入され、次いで第２の端部１２６に向けて案内される固い本体（第２の接続形体７２が設けられる）は、以下で説明するように、捕捉領域１３４内で摩擦によってくさび留めされるか又は係合されることになる。図４Ｂを更に参照すると、各保持構造体１１２の捕捉領域１３４の先細り形状が、長手方向軸Ａに対して同じ回転方向にあるように、保持構造体１１２が配置される。例えば、図４Ｂの位置付けに対して、保持構造体１１２の各々の捕捉領域１３４（図４Ｂでは隠れている）は、時計回り方向に先細りになる（例えば、第１の端部１２４は、時計回り方向において対応する第２の端部１２６の、回転方向において「前方に」ある）。図４Ｂは、最初に本体を捕捉領域１３４内に案内することを更に促進するために、先端部１２４が凹部を画定し得ることを更に示す。各保持構造体１１２の整合表面１４０は、図示のように実質的に平坦であり、概ね注ぎ口１００の外周に対して接面であり得、他の実施形態では、整合表面１４０は、弓形形状を有し、注ぎ口１００の湾曲を概ね追従することができる。
【００２５】
再び図４Ａ〜図４Ｄを参照すると、保持構造体１１２は、相補的な第２の接続形体７２との堅固な係合又は接続を確立し（図３）、注ぎ口１００から離れている。この構成によれば、塗料スプレーガンとともに利用される従来の流体コネクタ設計と異なり、本開示の接続形体は、注ぎ口１００及びしたがって液体出口６４が比較的大きい内径を提示することを可能にする。いくつかの実施形態では、注ぎ口１００の内径は２０ｍｍ以上であり、代替的に２２ｍｍ以上であり、任意に、３０ｍｍ程度である。更に、捕捉領域１３４を壁８０に密接して位置付けることによって、注ぎ口１００の高さは、従来のスプレーガン収容容器コネクタ設計と比較して低減され得る。いくつかの非限定的な実施形態では、例えば、注ぎ口１００の高さは５〜１５ｍｍ程度である。
【００２６】
図４Ａ〜図４Ｄは、保持構造体１１２のうちの２つを含むように第１の接続形体５６を示すが、他の実施形態では、保持構造体１１２のうちの３つ以上が設けられる。いくつかの実施形態では、保持構造体１１２は、注ぎ口１００周りに任意に等距離に間隔を空けられる。いずれにしても、開区域１５０は、保持構造体１１２のうちの円周方向に隣接する保持構造体１１２同士の間で画定される。例えば、図４Ｂは、円周方向に第１の保持構造体１１２ａの第２の端部１２６と第２の保持構造体１１２ｂの第１の端部１２４との間に第１の開区域１５０ａを識別し、円周方向に第２の保持構造体１１２ｂの第２の端部１２６と第１の保持構造体１１２ａの第１の端部１２４との間に第２の開区域１５０ｂを識別する。
【００２７】
再び図３を参照すると、第２の接続形体７２は、第１の接続形体５６の機構と選択的に対になるように構成される。いくつかの実施形態では、第２の接続形体７２は、図５Ａ〜図５Ｅに示すアダプタ１８０などのアダプタの一部として設けられる。第２の接続形体７２（図５Ａに概略的に参照される）に加えて、アダプタ１８０は管状部材１９０を含む。様々な構成要素の詳細が以下で与えられる。一般的には、アダプタ１８０の形状は中心軸Ｘを画定する。管状部材１９０は、スプレーガンの入口ポートへの接続を確立するためなど、従来のスプレーガン収容容器接続アダプタに類似の機構を含むか又は設けることができる。第２の接続形体７２の底部１９２は、管状部材１９０から突出し、第２の接続形体７２の他の部分を担持又は画定し、アダプタ１８０の蓋５４への取り付けを促進する（図３）。
【００２８】
管状部材１９０は様々な形態を取ることができ、中心通路２００（図５Ｅに最も良く示す）を画定する。通路２００は、管状部材１９０の先端部２０２において開口している。管状部材１９０は、従来の（例えば、ねじ式）スプレーガン入口ポートへの組み付けを容易にする取り付け機構を形成するか又は設ける。例えば、外部ねじ２０４は、先端部２０２に隣接して管状部材１９０に沿って設けられ、スプレーガン入口ポートによって設けられたねじとねじ止め接合するように構成され得る。これに関連して、外部ねじ２０４のピッチ、プロファイル、及び間隔は、アダプタ１８０が使用を意図されるスプレーガンの型／モデルにおける特定のねじパターンに従って選択され得る。外部ねじ２０２を含んでも含まなくてもよく、又は必要としてもしなくてもよい他のスプレーガン取り付け機構は、等しく容認可能である。管状部材１９０は、任意で、把持部２０６を更に含むか又は画定することができる。把持部２０６は、従来の工具でアダプタ１８０のユーザ操作を容易にするように構成され、いくつかの実施形態では、レンチによって容易に係合するように適応された六角形表面パターンを含むか又は画定する。他の実施形態では、把持部２０６を省略することができる。
【００２９】
底部１９２は、先端部２０２の反対側の管状部材１９０から延び、肩部２１０及びリング２１２を含む。図５Ｅに最も良く示すように、肩部２１０及びリング２１２が結合して、管状部材１９０の中心通路２００に対して開いており、蓋５４（図４Ａ）の注ぎ口１００（図４Ａ）を受けるように構成されたチャンバ２１４を画定する。肩部２１０は、（中心軸Ｘに対して）管状部材１９０から半径方向外向きに延び、内側半径面２１６を画定する。いくつかの実施形態では、内側半径面２１６は、以下で明らかになる理由のために、中心軸Ｘに垂直な平面内で実質的に平ら又は平坦（すなわち、真に平らな又は平坦な形状の５％以内）である。リング２１２は、管状部材１９０と反対の方向に肩部２１０の外周部から長手方向に突出し、接触面２１８において終了する。更に、リング２１２は、円筒形内面２２０及び円筒形外面２２２を画定する。リング２１２の内径（例えば、円筒形内面２２０によって画定される直径）は、注ぎ口１００の外径に対応する（例えば、近似するか又は外径よりわずかに大きい）。リング２１２の外径は、接触面２１８の延長部内に拡大し得るか又は均一であり得る。いずれにしても、リング２１２の最大外径（例えば、円筒形外面２２２によって画定される最大直径）は、上記で説明した隙間直径Ｄ１（図４Ｄ）に対応する（例えば、近似するか又は隙間直径よりわずかに小さい）。いくつかの実施形態では、接触面２１８は、以下で明らかになる理由のために、中心軸Ｘに垂直な平面内で実質的に平ら又は平坦（すなわち、真に平らな又は平坦な形状の５％以内）である。
【００３０】
いくつかの実施形態では、内側半径面２１６及び／又は円筒形内面２２０は、最終組み付け時に蓋５４（図４Ａ）との液密封止を確立し、したがって、本開示の原理による第２の接続形体７２の構成要素であると見なされ得る。他の実施形態では、内側半径面２１６、円筒形内面２２０、及び／又は底部１９２の他の構成要素は、第２の接続形体７２と分離していると見なされ得る。いずれにしても、第２の接続形体７２は、複数の係止構造体２３０を含む。係止構造体２３０は、円筒形外面２２２から外向きに突出し、以下で説明するように、保持構造体１１２（図４Ａ）のうちの対応する保持構造体と選択的に係合するように大きさと形状とを決められる。
【００３１】
いくつかの実施形態では、係止構造体２３０は同一であり、各々は、リング２１２に沿って円周方向に拡張して第２の端部２４２の反対側に第１の端部２４０を画定する。係止構造体２３０は、当接面２５２、係止面２５４、及び案内面２５６を画定するシム体又はくさび体２５０を含む。当接面２５２は、接触面２１８において又は接触面２１８にすぐ隣接してリング２１２から突出する。いくつかの実施形態では、当接面２５２は、中心軸Ｘに垂直な平面内で実質的に平ら又は平坦（すなわち、真に平らな又は平坦な形状の５％以内）であり、接触面２１８と同一平面である（例えば、接触面２１８及び当接面２５２は同一平面上にあり得る）。
【００３２】
係止面２５４は、図５Ｄで分かるように、シム体２５０の高さＨＳを画定するために当接面２５２の反対側に長手方向に形成される。更に、係止面２５４は、らせん体の区分に類似するリング２１２に対する形状又は幾何学的配置を生成する。図５Ｄに最も良く示すように、当接面２５２は、実質的に平ら（すなわち、真に平らな形状の５％以内）であり、係止面２５４の平面は、当接面２５２の平面に対して非平行である。例えば、当接面２５２及び係止面２５４の平面が結合して１〜７０度程度、例えば１〜３０度の範囲内の狭角を画定する。いくつかの実施形態では、当接面２５２及び係止面２５４によって画定される狭角は、使用中に２つの構成要素同士の間に干渉を任意で生み出すために、図４Ｆに関して以前に説明したように保持構造体１１２によって画定される狭角とわずかに異なる。この構成によれば、シム体２５０の高さＨＳは、以下で明らかになるように、第１の端部２４０から第２の端部２４２に向かって増大し、保持構造体１１２の長手方向間隔Ｌ（図４Ｆ）に従って選択される。一般的には、この拡大する高さ又はくさび状の形状及び対応する寸法によって、シム体２５０は、保持構造体１１２のうちの対応する１つの中で摩擦によってくさび留めされるか又は係合されることになる。いくつかの実施形態では、干渉は、構成要素同士が増大する摩擦及び保持力をもたらすために互いに「食い込む」ように、係止面と保持構造体との相互作用によって生み出される。そのような場合、上述の狭角は、意図的に不整合にされ得る。引き続き図５Ａ〜図５Ｅを参照すると、各々の係止構造体２３０のシム体２５０の拡大する形状が中心軸Ｘに対して同じ回転方向にあるように、係止構造体２３０はリング２１２周りに配置される。例えば、図５Ｂの位置付けに対して、係止構造体２３０の各々のシム体２５０は、時計回り方向に拡大する（例えば、第１の端部２４０は、時計回り方向において対応する第２の端部２４２の、回転方向において「前方に」ある）。図５Ｂは、最初にシム体２５０を保持構造体１１２のうちの１つの中に案内することを更に促進するために、第１の端部２４０が湾曲端部２５８を画定し得ることを更に示す。
【００３３】
各々の係止構造体２３０の案内面２５６は、リング２１２の反対側に画定され、いくつかの実施形態では、円筒形外面２２２の湾曲に倣う。湾曲してもしなくてもよい他の形状もまた、容認可能である。いずれにしても、図５Ｅで分かるように、案内面２５６は、最大外径Ｄ３を中心軸Ｘに対してひとまとめに画定する。図４Ｄを更に参照すると、最大外径Ｄ３は、第１の接続形体５６の寸法に従って、特に、以下で明らかになる理由のために、捕捉直径Ｄ１よりわずかに小さく、かつ隙間直径Ｄ２より大きくなるように設計される。
【００３４】
いくつかの実施形態では、係止構造体２３０の各々は、停止体２６０を更に含み得る。停止体２６０は、対応する係止構造体２３０の第２の端部２４２に位置し、当接面２５２と反対の方向において対応するシム体２５０の係止面２５４から、又は係止面２５４に対して長手方向に突出する。これに関連して、停止体２６０は、シム体２５０の高さＨＳを越えて突出する停止面２６２を画定する。図５Ｄで分かるように、停止体２６０の高さＨＢは、以下で明らかになる理由のために、保持構造体１１２（図４Ｆ）の長手方向間隔Ｌ（図４Ｆ）より大きくなるように選択される。他の実施形態では、停止体２６０を省略することができる。
【００３５】
図５Ａ〜図５Ｅは第２の接続形体７２が係止構造体２３０のうちの２つを含むように示しているが、他の実施形態では、係止構造体２３０のうちの３つ以上が設けられ、係止構造体２３０の数は相補的な第１の接続形体５６（図４Ａ）が設けられた保持構造体１１２（図４Ａ）の数と任意に一致する。同様に、係止構造体２３０の円周方向に隣接する係止構造体２３０同士の間の間隔は、保持構造体１１２同士の間の円周方向の間隔に倣う（例えば、いくつかの実施形態では、係止構造体２３０はリング２１２  １００周りに任意に等距離に間隔を空けられる）。いずれにしても、係止構造体２４０の各々の円周方向の長さ（例えば、円弧長さ）は、第１の接続形体５６の開区域１５０（図４Ｂ）の各々の円周方向の長さより小さい。
【００３６】
図６を参照すると、第１の接続形体５６と第２の接続形体７２との間（したがって、蓋５４とアダプタ１８０との間）の係合は、最初にアダプタ１８０と液体出口６４とを整合させることを必然的に伴う。蓋５４及びアダプタ１８０は、アダプタ１８０の接触面２１８が蓋５４の接触表面１２０に面し、係止構造体２３０が保持構造体１１２から回転方向にオフセットされるように、空間的に配置される（すなわち、係止構造体２３０はそれぞれ、開区域１５０のうちのそれぞれの開区域１５０と長手方向に整合される）。次いで、図７Ａ及び図７Ｂに示すように、蓋５４及びアダプタ１８０は互いに向けて案内され、アダプタ１８０の接触面２１８を、蓋５４の接触表面１２０と接触させる。底部１９２は注ぎ口１００の上方に位置し（図７Ａ及び図７Ｂでは隠れているが、例えば図６に示されている）、アダプタ１８０の中心軸Ｘは、蓋５４の長手方向軸Ａと整合される。上記の説明と同様に、底部１９２のリング２１２の外径は、保持構造体１１２によってひとまとめに生成された隙間直径Ｄ２（図４Ｄ）より小さく、底部１９２を保持構造体１１２の「内側」の注ぎ口１００の上方で入れ子にすることを可能にする。図７Ａ及び図７Ｂの初期状態では、係止構造体２３０は、保持構造体１１２から回転方向に間隔を空けられている。しかしながら、蓋５４及びアダプタ１８０の対応する幾何学的配置によって、接触表面１２０と接触面２１８との間の係合は、係止構造体２３０と保持構造体１１２とを円周方向に整合させる（例えば、図７Ａは、係止構造体２３０の第１の端部２４０が、第１の保持構造体１１２ａの捕捉領域１３４と円周方向に整合されることを示す）。
【００３７】
次いで、アダプタ１８０は、係止構造体２３０の各々の第１の端部２４０を保持構造体１１２のうちの対応する保持構造体の第１の端部１２４に向けて移動させる方向に、共通軸Ａ、Ｘ周りに蓋５４に対して回される（及び／又は、その逆も同様）。例えば、図７Ｂの位置付けに対して、アダプタ１８０は、蓋５４に対して時計回りに回される。この回転により、係止構造体２３０の各々のシム体２５０は、保持構造体１１２のうちの対応する保持構造体の捕捉領域１３４の中に案内される。図８Ａ及び図８Ｂは、保持構造体１１２と係止構造体２３０との対応する対の間の初期接合を示す。上記の説明と同様に、図８Ｂは、係止構造体２３０が、保持構造体１１２のうちの対応する保持構造体と接合するために半径方向に位置決めされるように、係止構造体２３０によってひとまとめに確立された最大外径Ｄ３が、保持構造体１１２によってひとまとめに確立された隙間直径Ｄ２より大きいことを強調している。しかしながら、図８Ｃの断面図に示すように、保持構造体１１２の案内表面１３６が対応する係止構造体２３０の案内面２５６と明白に接触しないように、そうでなければ蓋５４に対するアダプタ１８０の回転を妨げることがある（及び／又は、その逆も同様）という意味で、最大外径Ｄ３は捕捉直径Ｄ１より小さい。
【００３８】
図８Ｄの部分的断面図に示すように、係止構造体２３０の第１の端部２４０におけるシム体２５０の高さＨＳ（図５Ｄ）は、保持構造体１１２の第１の端部１２４における捕捉領域１３４の長手方向間隔Ｌ（図４Ｅ）より小さい。したがって、シム体２５０は、捕捉領域１３４の中に容易に案内され、接触表面１２０と係合表面１３８との間を摺動する。蓋５４の接触表面１２０とアダプタ１８０の接触面２１８との間に確立された摺動する平坦な接合は、蓋５４に対するアダプタ１８０の継続的回転（及び／又は、その逆も同様）によってシム体２５０と捕捉領域１３４との円周方向の整合を維持する。
【００３９】
アダプタ１８０が蓋５４に対して更に回される（及び／又は、その逆も同様）（すなわち、図８Ｄの位置付けに対して、係止構造体２３０は保持構造体１１２に対して概ね左方に、更には捕捉領域１３４の中に移動させられる）ので、捕捉領域１３４及びシム体２５０の先細り形状によって、くさび状の結合又は係合が保持構造体１１２と係止構造体２３０との間に確立される。シム体２５０の係止面２５４は、くさび体１３２の係合表面１３８を圧迫する。係止面２５４と係合表面１３８との間の（蓋５４及びアダプタ１８０の互いに対する回転による）摺動係合の角度又は平面は、シム体２５０の当接面２５２を保持構造体１１２の接触表面１２０の方に押し込んで、アダプタ１８０を蓋５４とのより堅固な係合に導く。いくつかの実施形態では、くさび式の係止された係合は、蓋５４及びアダプタ１８０の少なくとも関連する部分を異なる材料で形成することによって更に促進され得る。例えば、いくつかの実施形態では、蓋５４がプラスチック材料でアダプタ１８０が金属（例えば、ステンレス鋼）であり、これら及び同様の構成によって、プラスチックベースの保持構造体１１２は、より固い金属ベースのシム体２５０によって力が加えられることに応答してわずかに圧縮又は変形し得、より堅固な係止された接合がもたらされる。
【００４０】
蓋５４に対するアダプタ１８０の継続的回転（及び／又は、その逆も同様）によって、各係止構造体２３０のシム体２５０は、保持構造体１１２のうちのそれぞれの保持構造体の捕捉領域１３４の中で摩擦的及び機械的に係止されることになる。図９Ａ及び図９Ｂは、係止された状態のアダプタ１８０及び蓋５４を示す。係止構造体２３０の各々が設けられた任意の停止体２６０は、アダプタ１８０の蓋５４に対する過剰回転（及び／又は、その逆も同様）を防止する。図９Ｂに最も良く示すように、停止体２６０の高さＨＢ（図５Ｄ）は、捕捉領域１３４（概略的に参照される）の長手方向間隔Ｌ（図４Ｅ）より大きく、停止面２６２と保持構造体１１２の第１の端部１２４との間の当接は更なる回転を防止する。
【００４１】
係止された状態では、図９Ｃに示すように、液密封止が維持されている（液密封止は、係止された状態が達成される前に取得され得る、又は取得されることを理解されたい）。特に、注ぎ口１００の先端表面１０２が底部１９２の内側半径面２１６に対して接触して封止し、液体出口６４の環状リブ１０６が底部１９２の円筒形内面２２０に対して接触して封止する。先端表面１０２と内側半径面２１６との間の堅固な液体封止接触は、上記で説明した回転係止動作の一部として、保持構造体１１２と係止構造体２３０との間のくさび状の接合によって強化され、内側半径面２１６は先端表面１０２と緊密に接触させられる（すなわち、図９Ｃの位置付けに対して、上記で説明した回転によって、液密封止をより確実にするために、アダプタ１８０は蓋５４に対して下方に押し付けられ、又は引き込まれる（したがって、内側半径面２１６は先端表面１０２の上で下方に押し付けられ、又は引き込まれる））。いくつかの実施形態では、液密封止された接合は、蓋５４及びアダプタ１８０の少なくとも関連する部分を異なる材料で形成することによって更に促進され得る。例えば、いくつかの実施形態では、蓋５４がプラスチック材料でアダプタ１８０が金属（例えば、ステンレス鋼）であり、これら及び同様の構成によって、蓋５４のプラスチックベースの注ぎ口１００及び環状リブ１０６は、より固い金属ベースの底部１９２によって力が加えられることに応答してわずかに圧縮又は変形し得、構成要素同士の間により堅固な封止接触がもたらされる。
【００４２】
使用後、係止構造体２３０を対応する保持構造体１１２から引き抜くために、アダプタ１８０を蓋５４に対して反対方向（例えば、反時計回り）に回すことによって、アダプタ１８０が蓋５４から解除され得る。係合解除されると、アダプタ１８０は蓋５４から分離され得る。いくつかの実施形態では、保持構造体１１２と係止構造体２３０との間の反転カム式接合は、アダプタ１８０の回転によって発生し得（すなわち、上記の説明の逆における接合）、アダプタ１８０と蓋５４との間の任意の封止を解除するのを支援する役割を果たす。係合解除されると、アダプタ１８０は蓋５４から分離され得る。
【００４３】
上記のように、いくつかの実施形態では、蓋５４及びアダプタ１８０は異なる材料で形成され得る。例えば、蓋５４はプラスチック構成要素（例えば成形プラスチック）であり得、アダプタ１８０は金属（例えば、ステンレス鋼）であり得る。これらの任意の構成によって、噴霧動作に続いて、アダプタ１８０は容易に洗浄及び再使用され得、蓋５４は消耗部品と見なされ得る。
【００４４】
再び図３を参照すると、上記の説明はアダプタ１８０（図５Ａ）の一部として相補的な第２の接続形体７２を提供したが、他の構成も同様に容認可能である。例えば、第２の接続形体７２は、スプレーガンに永久に組み付けられ得るか、又はスプレーガンの一体部分として設けられ得る（例えば、上記で説明した第２の接続形体７２は、スプレーガン３０（図１）の入口ポート４８（図１）として又は入口ポート４８において設けられ得る）。すなわち、本開示のスプレーガン収容容器コネクタシステムは、アダプタを必要としない。
【００４５】
加えて、第１の接続形体５６及び第２の接続形体７２のロケーションは、反転され得る。次いで、他の実施形態では、第２の接続形体７２が蓋５４を形成され得るか又は設けられ得、第１の接続形体５６がスプレーガン入口７０（例えば、アダプタ、スプレーガン入口ポート等）を形成され得るか又は設けられ得る。例えば、図１０は、相補的な第１の接続形体３０２及び相補的な第２の接続形体３０４を含む代替のスプレーガン収容容器コネクタシステム３００の部分を示す（概略的に参照される）。第１の接続形体３０２は蓋３１０の一部として設けられ、第２の接続形体３０４は、図示のアダプタ３１２など、スプレーガン入口の一部として設けられる。
【００４６】
蓋３１０は、上記で説明した蓋５４（図２）に類似し得、一般に、壁３２０と注ぎ口３２２を含む液体出口とを含む。第１の接続形体３０２は、注ぎ口３２２の外側に沿って互いに円周方向に間隔を空けられた複数の係止構造体３３０を含む。係止構造体３３０は上記で説明した係止構造体２３０（図５Ａ）に高度に類似し得、注ぎ口３２２は底部１９２（図５Ａ）に機能的に類似する。更に図１１に示すように、係止構造体３３０の各々は、シム体３３２と任意の停止体３３４とを含む。シム体３３２は、シム体２５０（図５Ａ）に関して上記で説明した機構のいずれかを有し得、全体的に、第１の端部３３６から第２の端部３３８に向けて拡大する高さをもたらす。停止体３３４は第２の端部３３８に位置し、停止体２６０（図５Ａ）に関して上記で説明した機構のいずれかを有し得る。
【００４７】
再び図１０を参照すると、蓋３１０は、第１の接続形体３０２の一部と任意に見なされる１つ以上の封止機構を提供し得る。例えば、傾斜面封止部３４０は、先端部３４２の近傍の注ぎ口３２２の内側に沿って形成され得る。追加又は代替として、環状リブ封止部３４４は、先端部３４２から間隔を空けられたロケーションにおいて注ぎ口３２２の内側に沿って形成され得る。他の封止構成も想定され得る。
【００４８】
アダプタ３１２は、上記で説明したアダプタ１８０（図５Ａ）に類似し得、一般に、管状部材３５０を含む。第２の接続形体３０４は管状部材３５０から突出し、プラットフォーム３５２、リング３５４、及び複数の保持構造体３５６を含む。プラットフォーム３５２は環状の形状を有し、管状部材３５０の外径より大きい外径を画定する。リング３５４は管状部材３５０と同軸であり、上記で説明した注ぎ口１００（図４Ａ）に機能的に類似すると見なされ得る。リング３５４が注ぎ口３２２の中で入れ子になることができるように、リング３５４の外径は注ぎ口３２２の内径より小さい。封止機構は、注ぎ口３２２に対して付加的な封止及び保持力をもたらすために、リング３５４の外径において設けられ得る。保持構造体３５６は、上記で説明した保持構造体１１２（図４Ａ）に高度に類似し得、支持体３６０及びくさび体３６２を含む。プラットフォーム３５２の表面、支持体３６０及びくさび体３６２が結合して、くさび式係合においてシム体３３２のうちの対応する１つを摺動的に受けるように大きさを決められた、上記の説明と同様の捕捉領域３６４を画定する。
【００４９】
リング３５４は、接続形体に組み込まれた個別の構成要素として設けられ得る。このようにして、従来の製造技法を用いて別の方法で実現できるものより複雑な幾何学的配置が、達成可能となる。
【００５０】
アダプタ３１２を蓋３１０に結合することは、前の実施形態に高度に類似する方法で達成される。アダプタ３１２は注ぎ口３２２と軸方向に整合され、保持構造体３５６は係止構造体３３０に対して回転方向にオフセットされる。次いで、アダプタ３１２は蓋３１０の上に進められ、リング３５４が注ぎ口３２２の中で入れ子になる。次いで、アダプタ３１２は蓋３１０に対して回され（及び／又は、その逆も同様）、保持構造体３５６が係止構造体３３０のうちのそれぞれの係止構造体と係合させられる。くさび式接合が設けられ、アダプタ３１２は、上記で説明したように、引き込まれて蓋３１０と堅固に接触する。さらなる回転によって、係止構造体３３０の各々のシム体３３２は、対応する保持構造体３５６の捕捉領域３６４の中で摩擦的及び機械的に係止される。設けられた場合、係止構造体３３０の各々の停止体３３４は対応する保持構造体３５６と接触し、アダプタ３１２の過剰回転を防止する。図１２は、蓋３１０とアダプタ３１２との間（したがって、相補的な第１の接続形体３０２と相補的な第２の接続形体３０４（概略的に参照される）との間）の係止された配置の簡略化された表現である。係止構造体３３０の各々のシム体３３２は、対応する保持構造体３５６の捕捉領域３６４の中にくさび留めされる。少なくとも１つの液密封止が、注ぎ口３２２の傾斜面封止部３４０とアダプタ３１２のリング３５４との間の接触接合において提供される。図１２の実施形態では、第２の液密封止が、リング３５４の先端部３７０と蓋３１０が設けられた環状リブ封止部３７２との間の接触接合において提供される。図１２の図における環状リブ封止部３７２のロケーションは、図１０の環状リブ封止部３４２とは異なり、代替の封止手法を示すことが理解されよう。
【００５１】
上記の説明は、アダプタ３１２の一部として相補的な第２の接続形体３０４を提供したが、他の構成もまた容認可能である。例えば、第２の接続形体３０４は、スプレーガンに永久に組み付けられ得るか、又はスプレーガンの一体部分として設けられ得る（例えば、上記で説明した第２の接続形体３０４は、スプレーガン３０（図１）の入口ポート４８（図１）として又は入口ポート４８において設けられ得る）。
【００５２】
図１３は、本開示の原理による、相補的な第１の接続形体４０２及び第２の接続形体４０４（概略的に参照される）を含む代替のスプレーガン収容容器コネクタシステム４００の部分を示す。第１の接続形体４０２は蓋４１０の一部として設けられ、第２の接続形体４０４は、スプレーガンへの接続に適応されるように示されるアダプタ４１２など、スプレーガンの液体入口の一部として設けられる。
【００５３】
蓋４１０は図１４Ａ〜図１４Ｅにより詳細に示され、多くの点で、上記で説明した蓋５４（図４Ａ）に高度に類似し得るか又は蓋５４と同一であり得る。蓋４１０は、一般に、壁４２０と液体出口４２２とを含む。液体出口４２２は、注ぎ口４２４を、注ぎ口４２４の先端表面４２６及び／又は先端表面４２６の近傍の注ぎ口４２４の外側に沿って形成された１つ以上の環状リブ４２８など、上記で説明した任意の封止機構とともに含む。設けられた場合、いくつかの実施形態では、封止機構は、第１の接続形体４０２の構成要素と見なされ得る。
【００５４】
第１の接続形体４０２（図１４Ａにて概略的に参照される）は、プラットフォーム４４０と複数の保持構造体４４２とを含む。保持構造体４４２は、上記で説明した保持構造体１１２（図４Ａ）に高度に類似し得、注ぎ口４２４から半径方向に間隔を空けられたロケーションにおいて互いに円周方向に間隔を空けられる。一般的には、保持構造体４４２の各々は、床４４４と、支持体４４６と、くさび体４４８とを含む。床４４４は、保持構造体４４２の領域（図１４Ｅの断面図に最も良く示す）内に、プラットフォーム４４０の表面と概ね整合される接触表面４５０を画定する。支持体４４６は床４４４から突出し、案内表面４５２を画定する（図１４Ｂ）。くさび体４４８は、床４４４の反対側の支持体４４６から半径方向内向きに延び、図１４Ｅに最も良く示す係合表面４５４を画定する。表面４５０〜４５４が結合して、図１４Ｅに示す先細り形状又は傾斜形状を有する捕捉領域４５６を画定する。例えば、図１４Ｅの位置付けに対して、捕捉領域４５６の形状は、第１の端部４５８と第２の端部４５９との間の延長部内に垂直下向きの構成要素を有する。言い換えれば、捕捉領域４５６の形状は、捕捉領域４５６が注ぎ口４２４周りに回転するときのらせん体の区分に類似し得る。他の形状又は構成もまた想定される。更に他の実施形態では、保持構造体４４２のうちの３つ以上が設けられ得る。
【００５５】
プラットフォーム４４０は上記で説明したプラットフォーム１１０（図４Ａ）に機能的に類似し、傾斜表面４６０を画定する。上記で説明した他の実施形態とは対照的に、プラットフォーム４４０は、傾斜表面４６０が注ぎ口４２４周りに変化する形状を有するように構成される。特に、図１４Ｂ〜図１４Ｄに最も良く示すように、複数のアンダーカット部４６２がプラットフォーム４４０内に画定され、複数の傾斜区分４６４を生成する。傾斜区分４６４の各々に沿った傾斜表面４６０は部分らせん形状を有し、傾斜区分４６４が注ぎ口４２４周りに回転するにつれて長手方向に移行する。例えば、第１の傾斜区分４６４ａは図１４Ｂ〜図１４Ｄにおいて識別され、第１のアンダーカット部４６２ａと第２のアンダーカット部４６２ｂとの間で画定される。第１の傾斜区分４６４ａは、第１の保持構造体４４２ａに対応するように位置する。これらの規則を念頭に置いて、第１の傾斜区分４６４ａの傾斜表面４６０は、第１のアンダーカット部４６２ａから第２のアンダーカット部４６２ｂまで長手方向下向きに先細りになる。図１４Ｂの直立の向きに対して、第１の傾斜区分４６４ａの傾斜表面４６０は、第１のアンダーカット部４６２ａのロケーションにおいて第１の保持構造体４４２ａの床４４４の垂直方向「上方」にあり、第１の保持構造体４４２ａの領域内で床４４４と垂直方向に整合され、第２のアンダーカット部４６２ｂのロケーションにおいて床の垂直方向「下方」にある。肩部４６６（図１４Ｂ）は、以下で明らかになる理由のために、アンダーカット部４６２の各々において画定される。図１４Ｄに最も良く示すように、少なくとも１つのアンダーカット部４６２が、保持構造体４４２のうちの円周方向に隣接する保持構造体４４２同士の間に形成され、いくつかの実施形態では、アンダーカット部４６２のうちの単一のアンダーカット部が、一対の保持構造体４４２の間の円周方向の中点に位置する。関連する実施形態では、アンダーカット部４６２の数（したがって、傾斜区分４６４の数）は、保持構造体４４２の数と一致する。
【００５６】
再び図１３を参照すると、アダプタ４１２は、上記で説明したアダプタ１８０（図５Ａ）に高度に類似し得、一般に、管状部材４８０を含む。管状部材４８０は、管状部材１９０（図５Ａ）に関して上記で説明した機構のいずれかを含み得る。第２の接続形体４０４は、底部５００と複数の係止構造体５０２とを含む。底部５００は、管状部材４８０から突出し、係止構造体５０２を担持する。以下で説明するように、係止構造体５０２は、次に、保持構造体４４２のうちの対応する保持構造体と選択的に接合するように構成される。
【００５７】
アダプタ４１２は、図１５Ａ〜図１５Ｄにおいてより詳細に示される。底部５００は、肩部５１０とリング５１２とを含む。図１５Ｄに最も良く示すように、肩部５１０及びリング５１２が結合して、管状部材４８０の通路に対して開いており、蓋４１０（図１４Ａ）の注ぎ口４２４（図１４Ａ）を受けるように構成されたチャンバ５１４を画定する。肩部５１０は、管状部材４８０から半径方向外向き及び下向きに延びて、内面５１６を画定する。リング５１２は、管状部材４８０と反対の方向に肩部５１０の外周部から長手方向に突出し、接触面５１８において終了する。更に、リング５１２は、円筒形内面５２０及び円筒形外面５２２を画定する。リング５１２の内径（例えば、円筒形内面５２０によって画定される直径）は、注ぎ口４２４の外径に対応する（例えば、近似するか又は外径よりわずかに大きい）。リング５１２の外径は、接触面５１８の延長部内に拡大し得るか又は均一であり得る。いずれにしても、リング５１２の最大外径（例えば、円筒形外面５２２によって画定される最大直径）は、前の説明と同様に、保持構造体４４２（図１４Ａ）によってひとまとめに確立される隙間直径内で入れ子にするように選定される。
【００５８】
接触面５１８の形状の幾何学的配置は、傾斜表面４６０（図１４Ａ）に関して上記で説明したものと同様である。特に、複数のアンダーカット部５３０が接触面５１８に沿って形成され、複数の軌道区分５３２を生成する。接触面５１８内のアンダーカット部５３０の数、円周方向のロケーション、及び形状は、上記で説明したプラットフォーム４４０（図１４Ａ）内のアンダーカット部４６２（図１４Ｂ〜図１４Ｄ）に対応する。軌道区分５３２の各々に沿った接触面５１８は、部分らせん形状を生成し、アンダーカット部５３０の各々においてタブ５３４を形成する。
【００５９】
いくつかの実施形態では、係止構造体５０２は同一であり、各々は、図１５Ｂに最も良く示すように、リング５１２に沿って円周方向に拡張して第２の端部５４２の反対側に第１の端部５４０を画定する。係止構造体５０２は、上記で説明した係止構造体２３０（図５Ａ）に類似し得、当接面５５２、係止面５５４、及び案内面５５６を画定するシム体又はくさび体５５０を含む。当接面５５２は、接触面５１８において又はすぐ隣接してリング５１２から突出する。いくつかの実施形態では、当接面５５２の形状は、接触面５１８の対応する形状に適合し、したがって、（例えば、らせん体の区分に類似する）傾斜した向きを有し得る。
【００６０】
係止面５５４は、シム体５５０の高さを画定するために当接面５５２の反対側に長手方向に形成される。いくつかの実施形態では、係止面５５２の平面は、当接面５５２の平面と実質的に平行であり、したがって、図１５Ｂの図に最も良く示すらせん体の区分に類似するリング５１２に対する形状又は幾何学的配置を生成する。この構成によれば、リング５１２に対するシム体５５０の垂直ロケーションは、シム体５５０がリング５１２周りに回転するにつれて変化し、第１の端部５４０は、図１５Ａ〜図１５Ｄの直立の向きに対して第２の端部５４２の垂直方向「下方」にある。各係止構造体５０２のシム体５５０の角度の向きが、中心軸Ｘに対して同じ回転方向にあるように、係止構造体５０２がリング５１２周りに配置される。例えば、図１５Ｂの位置付けに対して、係止構造体５２０の各々のシム体５５０は、時計回り方向に下向きに延びる（例えば、垂直方向により低い第１の端部５４０は、時計回り方向において対応する垂直方向により高い第２の端部５４２の、回転方向において「前方に」ある）。
【００６１】
アダプタ４１２が設けられた係止構造体５０２の数は、蓋４１０（図１４Ａ）が設けられた保持構造体４４２（図１４Ａ）の数に一致する。したがって、係止構造体５０２のうちの３つ以上が、他の実施形態とともに含まれ得る。他の場所で説明された係止構造体２３０（図５Ａ）とは対照的に、係止構造体５０２は停止体を含む必要はない。
【００６２】
再び図１３を参照すると、蓋４１０とアダプタ４１２との結合は、前の説明と同様である。まず、リング５１２が注ぎ口４２４と整合される。図１３の配置では、アダプタ４１２は、係止構造体５０２が保持構造体４４２から回転方向にオフセットされるように、回転方向に配置される。次いで、アダプタ４１２は蓋４１０の上に案内され（及び／又は、その逆も同様）、注ぎ口４２４が底部５００の中で入れ子になる。
【００６３】
図１６Ａ及び図１６Ｂの初期の組み付け状態では、上記で説明したようにアダプタ４１２は蓋４１０上に置かれており、係止構造体５０２は保持構造体４４２から回転方向に間隔を空けられる。アダプタ４１２の接触面５１８は、蓋のプラットフォーム４４０の傾斜表面４６０を圧迫している。上記で説明した、蓋４１０の傾斜区分４６４に沿った傾斜表面４６０と、アダプタ４１２の軌道区分５３２に沿った接触面５１８との部分らせん形状によって、係止構造体５０２は、（図１６Ａ及び図１６Ｂの位置付けに対して）保持構造体４４２の各々の捕捉領域４５６の垂直方向「上方」に位置する。
【００６４】
次いで、アダプタ４１２は蓋４１０に対して回され（及び／又は、その逆も同様）、係止構造体５０２の各々を保持構造体４４２のうちの対応する保持構造体との係合が導かれる。例えば、図１６Ａ及び図１６Ｂにおいて識別される第１の保持構造体４４２ａ及び第１の係止構造体５０２ａを参照すると、アダプタ４１２は、シム体５５０の第１の端部５４０が、第１の保持構造体４４２ａの第１の端部４５８における捕捉領域４５６に接近し、次いで入るように、（例えば、時計回りに）回され得る。傾斜表面４６０と接触面５１８との間の摺動接合及び対応するらせん状の形状によって、アダプタ４１２が回されるのにつれて、アダプタ４１２が保持構造体４４２に対して垂直に低下するか又は低くなり、それにより、第１の係止構造体５０２ａが第１の保持構造体４４２ａの第１の端部４５８に近づくにつれて、第１の係止構造体５０２ａの第１の端部５４０は、第１の保持構造体４４２ａの第１の端部４５８における捕捉領域４５６と整合するようになる。
【００６５】
蓋４１０に対するアダプタ４１２の継続的回転（及び／又は、その逆も同様）によって、各係止構造体５０２のシム体５５０は、保持構造体４４２のうちのそれぞれの保持構造体の捕捉領域４５６の中で摩擦的及び機械的に係止されることになる。図１７Ａ及び図１７Ｂは、蓋４１０及びアダプタ４１２が係止された状態を示す。アダプタ４１２の接触面５１８は、傾斜表面４６０に対して及びそれに沿って更に回転し、より完全な係止構造体５０２の係合を保持構造体４４２の中に達成する。各軌道区分５３２のタブ５３４（そのうちの１つが図１７Ａに見られる）と肩部４６６（そのうちの１つが図１７Ａに見られる）との間の当接接合は、蓋４１０に対するアダプタ４１２の過剰回転（及び／又は、その逆も同様）を防止し、接続組み付けを安定にする役割を果たす。図１７Ｃの断面図は、保持構造体４４２のうちの１つの捕捉領域４５６（概略的に参照される）内に格納されたくさび体５５０のうちの１つを示し、くさび体５５０の形状及び空間的な向きは、捕捉領域４５６の形状及び空間的な向きに倣うことを示す。係止された状態では、シム体５５０の当接面５５２は床４４４の接触表面４５０を圧迫し、シム体５５０の係止面５５４はくさび体４４８の係合表面４５４を圧迫する。回転軸に垂直な平面に対する接触表面４５０及び係合表面４５４並びに当接面５５２及び係止面５５４の下向きの角度の向きは、シム体５５０が捕捉領域４５６を通って漸次進む（すなわち、シム体５５０の第１の端部５４０が保持構造体４４２の第１の端部４５８から第２の端部４５９まで漸次進む）につれて、アダプタ４１２が、蓋４１０の上に（図１７Ｃの位置付けに対して）下方に引っ張られるか又は引き込まれ、構成要素同士の間の液密封止が促進されることを決定付ける。他の封止機構は、上記の他の実施形態と同様に設けられ得る。
【００６６】
上記の説明は相補的な第２の接続形体４０４（図１３に概略的に参照される）をアダプタ４１２の一部として提供したが、他の構成も容認可能である。例えば、第２の接続形体４０４は、スプレーガンに永久に組み付けられ得るか、又はスプレーガンの一体部分として設けられ得る（例えば、上記で説明した第２の接続形体４０４は、スプレーガン３０（図１）の入口ポート４８（図１）として又は入口ポート４８において設けられ得る）。加えて、第１の接続形体４０２及び第２の接続形体４０４のロケーションは、反転され得る。他の実施形態では、次いで、第２の接続形体４０４は蓋４１０を形成され得るか又は設けられ得、第１の接続形体４０２はスプレーガン入口（例えば、アダプタ、一体型スプレーガン入口ポート等）を形成され得るか又は設けられ得る。
【００６７】
上記で説明した傾斜表面４６０によってもたらされる先細りの又は傾斜式接合は、本開示の原理による他の幾何学的配置又は設計を用いて達成され得る。例えば、本開示の原理による別の蓋５８０の部分が、図１８Ａ〜図１８Ｄに示されている。蓋５８０は、本開示で説明された蓋のいずれかに類似し、プラットフォーム５８２を含む。理解を容易にするために、上記で説明した接続形体の機構は、図１８Ａ〜図１８Ｄの図から省略されている。第１のアンダーカット部５８４ａ及び第２のアンダーカット部５８４ｂは、上記の説明と同様に、プラットフォーム５８２の面５８６に沿って形成される。面５８６は注ぎ口５８８周りに回転し、注ぎ口５８８に沿って回転方向が指定され得る（例えば、時計回り又は反時計回り）。時計回り方向に対して、面５８６の第１の部分５９０ａは、第１のアンダーカット部５８４ａから第２のアンダーカット部５８４ｂまで円周方向に延びるように見られ得、第２の部分５９０ｂは、第２のアンダーカット部５８４ｂから第１のアンダーカット部５８４ａまで円周方向に延びるように見られ得る。部分５９０ａ、５９０ｂの各々は、平らな区分５９２と傾斜区分５９４とを含む。傾斜区分５９４は上記で説明した傾斜表面４６０（図１４Ａ）に類似する一方で、平らな区分５９２は実質的に平坦である（例えば、傾斜区分５９４の平面は平らな区分５９２の平面に対して傾いている）。この構成によれば、上記で説明した先細りの又は傾斜式接合が提供され得、蓋５８０は、成形による製造の容易さを促進するように設計される。
【００６８】
本開示に記載の相補的接続形体のいずれかは、対応する蓋の残りの部分と一体に形成され得る。代替的に、これらの構成要素は、最初に、個別のモジュール部品として、又は蓋の残りの部分への接続を可能にする接続形状を含む組立体として形成され得る。例えば、モジュール式蓋組立体６００が図１９に示されており、モジュール式液体出口６０２及びモジュール式蓋底部６０４を含む。モジュール式構成要素６０２、６０４は個別に形成され、その後組み付けられる。一般的には、モジュール式液体出口６０２は、ステージ６１０、液体出口６１２、及び接続形体６１４の構成要素（概略的に参照される）を含む。ステージ６１０は、以下で説明するモジュール式蓋底部６０４の対応する機構に従って大きさ及び形状を決められ、液体出口６１２と接続形体６１４とを支持する。液体出口６１２及び接続形体６１４は、上記で説明した形態のいずれかを取ることができ、図１９の非限定的な例では、上記で説明した液体出口６４（図４Ａ）及び第１の接続形体５６（図４Ａ）であり得る。本明細書で説明する任意の他の接続形体は、代替的に、モジュール式液体出口６０２の中に組み込まれ得る。
【００６９】
モジュール式蓋底部６０４は、一般に、壁６２０と、壁６２０から突出するリム６２２とを含む。壁６２０は中心開口６２４を形成し、ステージ６１０の大きさ及び形状に従って大きさ及び形状を決められる。中心開口６２４は様々な形状及び大きさを取ることができるが、開口６２４の外径は、一般に、液体出口６１２の内径より大きく、ステージ６１０の外径より小さいように構成される。
【００７０】
モジュール式蓋組立体６００の組み付けは、中心開口６２４が液体出口６１２に対して開きながら、ステージ６１０を壁６２０の上に固定することを含む。モジュール式液体出口６０２は、いくつかの実施形態では、溶接及び／又は接着剤等によってモジュール式蓋底部６０４に固定される。いくつかの実施形態では、接着継手及び／又は溶接継手は、モジュール式液体出口６０２をモジュール式蓋底部６０４に組み付ける際に、液密封止を維持しかつ生み出すように作用する。４分の１ターンロック、機械的係止機構の用具、ねじ式、スナップ嵌め、他のメカニカルファスナー（例えば、構成要素を適所に保持／維持して適切な漏れ止め封止を施す、ねじ、鋲及び／又は冷間／熱間成形された、キノコ頭を押し込む成形ポスト）など、他の取り付け技法はまた、容認可能である。
【００７１】
モジュール式液体出口６０２及びモジュール式蓋底部６０４を使用して蓋６００を構成することにより、別の方法で、例えば射出成形を用いてなし得るよりも複雑な形状を都合良く生み出すことができるという利点がもたらされ得る。例えば、所与の蓋６００において、いくつかの機構を形成するために必要な金型分割線のロケーション及びスライドの必要な軌道によって、特定の形状を射出成形品内に形成することが不可能な場合がある。しかしながら、蓋６００がモジュール式構成要素に分割されるならば、一体型の蓋に対して到達できなかったはずのモジュール式構成要素の各々の表面に直接到達するための工程が、設計され得る。したがって、さらなる幾何学的複雑さが達成され得る。
【００７２】
モジュール式蓋構成要素６０２、６０４はまた、用途に望ましいように異なる材料で構成されてもよい。例えば、モジュール式液体出口６０２に対してエンプラを使用することが望ましい場合がある（スプレーガンに対する確実で耐久性のある接続に必要な強度及び許容値による）一方で、より低コストのポリマーは、モジュール式蓋底部６０４に使用され得る。
【００７３】
他の実施形態では、上記のように提供されるモジュール式液出口６０２は、代替的に、塗料供給管路又はポーチ等の端部に取り付けられるか又は予め組み付けられ、次にスプレーガン塗料入口ポートに接続され得る。このようにして、塗料は、モジュール式蓋底部５０４（又は他の収容容器構成要素）を必要とすることなく、スプレーガンに直接供給され得る。
【００７４】
本開示のスプレーガン収容容器コネクタシステムは、以前の設計に勝る顕著な改善をもたらす。接続形体の様々な構成要素を、蓋によって形成される液体出口（又は注ぎ口）の外側に又は液体出口（又は注ぎ口）から離れて位置付けることによって、注ぎ口の内径が、従来の設計と比較して増加され得る。これは、ひいては、注ぎ口を通る流量を改善し得る。更に、本開示のコネクタシステムは、従来の設計と比較すると、スプレーガンに対する収容容器の重心を下げる。また、より安定で堅固な接続がもたらされ、噴霧動作中にスプレーガンに対して収容容器に起こり得る「ふらつき」を最小にする。
【００７５】
好ましい実施形態を参照しながら本開示を説明してきたが、本開示の趣旨及び範囲から逸脱することなく形態及び細部の変更を行えることは、当業者には理解されよう。
【図１】
2019504754.tif 000003
【図２】
2019504754.tif 000004
【図３】
2019504754.tif 000005
【図４Ａ】
2019504754.tif 000006
【図４Ｂ】
2019504754.tif 000007
【図４Ｃ】
2019504754.tif 000008
【図４Ｄ】
2019504754.tif 000009
【図４Ｅ】
2019504754.tif 000010
【図４Ｆ】
2019504754.tif 000011
【図５Ａ】
2019504754.tif 000012
【図５Ｂ】
2019504754.tif 000013
【図５Ｃ】
2019504754.tif 000014
【図５Ｄ】
2019504754.tif 000015
【図５Ｅ】
2019504754.tif 000016
【図６】
2019504754.tif 000017
【図７Ａ】
2019504754.tif 000018
【図７Ｂ】
2019504754.tif 000019
【図８Ａ】
2019504754.tif 000020
【図８Ｂ】
2019504754.tif 000021
【図８Ｃ】
2019504754.tif 000022
【図８Ｄ】
2019504754.tif 000023
【図９Ａ】
2019504754.tif 000024
【図９Ｂ】
2019504754.tif 000025
【図９Ｃ】
2019504754.tif 000026
【図１０】
2019504754.tif 000027
【図１１】
2019504754.tif 000028
【図１２】
2019504754.tif 000029
【図１３】
2019504754.tif 000030
【図１４Ａ】
2019504754.tif 000031
【図１４Ｂ】
2019504754.tif 000032
【図１４Ｃ】
2019504754.tif 000033
【図１４Ｄ】
2019504754.tif 000034
【図１４Ｅ】
2019504754.tif 000035
【図１５Ａ】
2019504754.tif 000036
【図１５Ｂ】
2019504754.tif 000037
【図１５Ｃ】
2019504754.tif 000038
【図１５Ｄ】
2019504754.tif 000039
【図１６Ａ】
2019504754.tif 000040
【図１６Ｂ】
2019504754.tif 000041
【図１７Ａ】
2019504754.tif 000042
【図１７Ｂ】
2019504754.tif 000043
【図１７Ｃ】
2019504754.tif 000044
【図１８Ａ】
2019504754.tif 000045
【図１８Ｂ】
2019504754.tif 000046
【図１８Ｃ】
2019504754.tif 000047
【図１８Ｄ】
2019504754.tif 000048
【図１９】
2019504754.tif 000049
【国際調査報告】
2019504754.tif 000050
2019504754.tif 000051
2019504754.tif 000052
2019504754.tif 000053